(57)【要約】【解決手段】本発明は、クランクシャフト（５）の回転軸（４）方向にそれぞれ、横方向に間隔をあけて隣接し、ディープローリング機械（２）に旋回可能に取り付けられている、シザーズ構造の複数のディープローリング装置（３）を有し、いくつかのディープローリング装置（３）がメインベアリングジャーナル（１４）のディープロール用に、そして他のいくつかがクランクシャフト（５）のクランクピンジャーナルのディープローリング用に設けられており、ディープローリング装置（３）がその両方のシザーアームの外側の端でそれぞれ、ディープローリングツール（１０）を構成するディープローリングローラヘッド（１１）と支持ローラヘッド（９）を支持し、ディープローリングツール（１０）がシザーアームに沿って、ディープローリング装置（３）の付属の固定具からディープローリング機械（２）まで、シザーアームの長さに対する幅の大きさよりも大きい間隔を有す、クランクシャフト用ディープローリング機械に関する。メインベアリングジャーナル（１４）またはクランクピンジャーナルのディープロール用に設けられたディープローリング装置（３）の少なくとも１つに、ディープローリング装置（３）の作業位置でクランクシャフト（５）に係合し、ディープローリング装置（３）をクランクシャフト（５）の回転軸（４）方向に安定させる装置（８）が設けられている。【選択図】図１
2010502459.tif 000002
【特許請求の範囲】
【請求項１】
いくつかのディープローリング装置（３）がメインベアリングジャーナル（１４）のディープロール用に、他のディープローリング装置（３）がクランクシャフト（５）のクランクピンジャーナルのディープロール用に設けられており、ディープローリング装置（３）がその両方のシザーアームの外側の端でそれぞれ、共にディープローリングツール（１０）を形成するディープローリングローラヘッド（１１）と支持ローラヘッド（９）を支持し、ディープローリングツール（１０）がシザーアームに沿って、ディープローリング装置（３）の付属の固定具からディープローリング機械（２）まで、シザーアームの長さに対する幅（７）の大きさよりも大きい間隔を有し、
−メインベアリングジャーナル（１４）またはクランクピンジャーナルのディープロール用に提供されているディープローリング装置（３）の少なくとも１つに、ディープローリング装置（３）の作業位置でクランクシャフト（５）に係合し、ディープローリング装置（３）をクランクシャフト（５）の回転軸（４）方向に安定させるための装置が設けられていることを特徴とする、クランクシャフト（５）の回転軸（４）方向にそれぞれ横方向に間隔（６）を置いて隣同士でディープローリング機械（２）に旋回可能なように固定されている、シザーズ構造の複数のディープローリング装置（３）を備えたクランクシャフト（５）用ディープローリング機械（２）。
【請求項２】
ディープローリングツール（１０）にディープローリング装置を安定させるための装置が設けられていることを特徴とする、請求項１に記載のディープローリング機械。
【請求項３】
ディープローリングツール（１０）のディープローリングヘッド（１１）にディープローリング装置（３）を安定させるための装置が設けられていることを特徴とする、請求項２に記載のディープローリング機械。
【請求項４】
支持ローラヘッド（９）にディープローリング装置（３）を安定させるための装置が設けられていることを特徴とする、請求項３に記載のディープローリング機械。
【請求項５】
ディープローリング装置（３）を安定させるための装置が、ディープローリング装置（３）の作業位置でクランクシャフト（５）のメインベアリングジャーナル（１４）またはクランクピンジャーナルの付属のオイルカラー（１２、１３）の間に係合する軸線方向案内ローラ（８）として形成されていることを特徴とする請求項２または３に記載のディープローリング機械。
【請求項６】
ディープローリング装置（３）を安定させるための装置が、ディープローリング装置（３）の作業位置でクランクシャフト（５）のメインベアリングジャーナル（１４）またはクランクピンジャーナルの付属のオイルカラー（１２、１３）の間に係合するプリズム状の摺動体として形成されていることを特徴とする請求項２または３に記載のディープローリング機械。
【請求項７】
ディープローリング装置（３）のシザーアームに沿って、ディープローリング装置（３）を安定させるための装置が設けられていることを特徴とする、請求項１に記載のディープローリング機械。
【請求項８】
シザーアームのジョイントにディープローリング装置（３）を安定させるための装置が設けられていることを特徴とする、請求項６に記載のディープローリング機械。
【請求項９】
ディープローリング装置（３）を安定させるための装置がスペーサまたはディスタンスピースとして設けられていることを特徴とする、請求項６または７に記載のディープローリング機械。
【発明の詳細な説明】
【技術分野】
【０００１】
本発明は、クランクシャフトの回転軸方向にそれぞれ、横方向に間隔をあけて隣接し、ディープローリング機械に旋回可能に取り付けられている、シザーズ構造の複数のディープローリング装置を有し、いくつかのディープローリング装置がメインベアリングジャーナルのディープロール用に、そして他のいくつかがクランクシャフトのクランクピンジャーナルのディープローリング用に設けられており、ディープローリング装置が両方のシザーアームの外側の端でそれぞれ、ディープローリングツールを構成するディープローリングローラヘッドと支持ローラヘッドを支持し、そのディープローリングツールがシザーアームに沿ってディープローリング装置の付属の固定具からディープローリング機械まで、シザーアームの長さに対する幅の大きさよりも大きい間隔を有す、クランクシャフト用ディープローリング機械に関する。
【背景技術】
【０００２】
シザーズ構造のディープローリング装置を有する前述のようなディープローリング機械は、例えば特許文献１などで既知である。シザーズ構造のディープローリング装置を使用するディープローリング機械は、特許出願者の以前のドイツ国特許出願第１０  ２００５  ０１４  ９９８．７−１４号（特許文献２）の主題でもある。
【０００３】
シザーズ構造のディープローリング装置は、ディープローリングツールがシザーアームに沿って、ディープローリング装置の付属の固定具からディープローリング機械まで、シザーアームの長さに対する幅の大きさよりも大きい間隔を有していることを特徴とする。そのため該ディープローリング装置はディープローリング機械内でクランクシャフトが回転する、クランクシャフトの回転軸方向における安定性が比較定期小さい。最近のクランクシャフト用ディープローリング機械の場合がそうであるように、複数のディープローリング装置が存在する場合は、その結果として、クランクシャフトのディープロール時に、軸線方向の振動などのような好ましくない動きが生じることがあり、それがすべてのディープローリング装置に伝えられる。このような振動はその結果として加工結果の劣化につながる。
【先行技術文献】
【特許文献】
【０００４】
【特許文献１】欧州特許公開ＥＰ  ０  ８８１  ０４１  Ｂ１号明細書
【特許文献２】ドイツ国特許ＤＥ  １０  ２００５  ０１４  ９９８  Ａ１号明細書
【特許文献３】欧州特許公開ＥＰ  １  １１２  １４６  Ｂ１号明細書
【特許文献４】ドイツ国特許ＤＥ  １０３  ６１  ７３８  Ｂ３号明細書
【特許文献５】欧州特許公開ＥＰ  １  ４６９  ９７２  Ｂ１号明細書
【発明の概要】
【発明が解決しようとする課題】
【０００５】
そのため、ディープローリング時にディープローリング装置をクランクシャフトの回転軸の縦方向に安定させる装置をディープローリング機械に設けるという本発明の課題が生じる。該装置は可能な限り簡単に形成されていなければならず、ディープローリング装置の作用方法を妨げるのではなく、その反対に向上させなければならない。
【課題を解決するための手段】
【０００６】
この課題の解決策として、メインベアリングジャーナルまたはクランクピンジャーナルのディープロール用に設けられているディープローリング装置の少なくとも１つに、ディープローリング装置の作業位置でクランクシャフトに係合して、ディープローリング装置をクランクシャフトの回転軸方向に安定させる装置が設けられていれば、ディープローリング装置を軸線方向に安定させることができることがわかった。
【０００７】
簡単なケースでは、このような装置は支持ローラヘッドに固定されており、ディープローリングローラが閉じた状態であるときに、クランクシャフトのベアリングシャーナルの付属のオイルカラーの間に係合する、軸線方向案内ローラ１つから成る。支持ローラヘッドに固定された軸線方向案内ローラは、特許文献３などで既知である。この軸線方向案内ローラは、ディープローラングツールが閉じる間、ディープローリングローラまたは支持ローラがクランクシャフトのオイルカラーに追突するのを防ぐために設けられている。
【０００８】
また、ディープローランローラヘッドに取り付けられている別のタイプの軸線方向案内ローラも、特許文献４で既知である。既知の装置は、ディープローリングツールから発する力、またはディープローリングツールで発生する力を軸線方向に吸収するのに適したガイド装置を作るという課題が根底にある。既知の装置の作用方法の長所は、ディープローリング装置の軸線方向の動作をクランクシャフトの回転軸の縦方向に制限するディープローリングローラヘッド上に固定配置された軸方向案内ローラが、同じ方向に作用する力をクランクシャフトのオイルカラーに導入することにある。ただし、既知の装置との関連においては、どちらかといえば、ディープローリングローラに発生することのある、大きさの異なるディープロール力をクランクシャフトに導入することが考えられていた（図６、図７を参照）。それに反し、ディープローリング装置全体を軸線方向に安定させ、必要に応じて振動を抑えるという考えは、既知の装置ではまだ考慮されていなかった。また特に、前記特許文献３で既知であるように、支持ローラヘッドに取り付けられている軸線方向案内ローラがディープローリング機械の残りのディープローリング装置に安定化作用を示すことは認識されていなかった。
【０００９】
特許文献５では、プリズム状の摺動体として形成されている軸線方向案内装置が知られている。この既知の装置もまた、支持ローラヘッドに固定され、ディープローリングツールが閉じているときに、クランクシャフトのベアリングジャーナルの付属のオイルカラーの間に係合する。既知の装置との関連において、ディープローリング装置がシザーズ構造をしているため、軸線方向の案内が同時にディープローリングローラヘッドをクランクシャフトの軸線方向へ案内する役割をすることも知られている。
【００１０】
そのため本発明のもう一つ実施形態は、ディープローリング装置のシザーアームに沿ってディープローリング装置を安定化させるための装置を取り付けるものとしている。ディープローリングローラヘッドまたは支持ローラヘッドが固定されているところであるシザーアームの外側の端と、シザーアームによって形成されるシザーのピボットの間に切断部を１つ配置し、そこからクランクシャフトに係合させることが好ましい。そのような装置の場合それは、一方ではディープローリングツールの相互間隔を確保し、もう一方では、クランクシャフトへの係合を確保する、ディスタンスピースまたはスペーサであってかまわない。そのような解決方法は特に、スペース上の理由から軸線方向案内ローラをディープローリングローラヘッドまたは支持ローラヘッドに取り付けることのできない、スプリットピン・クランクシャフトなどの複雑なクランクシャフトの加工の場合に提供される。
【図面の簡単な説明】
【００１１】
【図１】ディープローリング機械の透視図
【図２】ディープローリングツールの側面図
【図３】図２におけるディープローリングツールのＩＩＩ−ＩＩＩ線断面図
【発明を実施するための形態】
【００１２】
以下に実施例を使って本発明を詳しく説明する。
【実施例】
【００１３】
ディープローリング機械２のクロスバー１に複数のディープローリング装置３が隣同士に配置されている。ディープローリング装置３はシザー構造に設計されており、ディープローリング機械２にクランプされたクランクシャフト５の回転軸４に沿って、相互間隔６を置いてクロスバー１に固定されている。ディープローリング装置３の幅７はそれぞれ、その長さに比べて小さい。そのため、ディープローリング装置３は回転軸４の方向に特に曲がりやすくなっている。また、その曲がり易さが原因で、クランクシャフト５のディープロール時に軸線方向４に向けて、すべてのディープローリング装置３を襲う可能性のある振動がディープローリング機械２内に生じる。
【００１４】
そのような振動を防ぐため、ディープローリングツール１０の支持ローラヘッド９に回転可能に取り付けられている軸線方向案内ローラ８が設けられている。図２に示されているように、ディープローリングローラヘッド１１と支持ローラヘッド９から成るディープローリングツール１０が閉じているときは、軸線方向案内ローラ８がクランクシャフト５のベアリングジャーナル１４の付属のオイルカラー１２および１３の間に係合する。この係合により、軸線方向案内ローラ８が付属のディープローリング装置３を軸線方向４に安定化させ、クロスバー１の固定具と、ディープローリング装置３のシザーアームの外側の端のディープローリングツール１０の間でディープローリング装置３に発生する力をクランクシャフト５に伝え、それにより付属のディープローリング装置３を安定させる。そのような力は例えば、軸線方向の力が異なるために、ディープローリング機械２のディープローリング装置のどれか１つに生じる振動の結果として発生することがある。
【００１５】
ディープローリング機械２のディープローリング装置３がそれぞれ回転軸４方向に安定すれば、すでに十分である。これは例えば、クランクシャフト５のメインベアリングジャーナル１４に係合する１つまたは複数のディープローリングツール１０または、クランクシャフトのクランクピンジャーナルに係合する１つまたは複数のディープローリングツール１０によって行われても良い。しかし概して、ディープローリング機械２のすべてのディープローリング装置３にディープローリング装置３を軸線方向４に安定させる装置を設けるという方向に移っていった。
【００１６】
図には表示されていないが、本出願ではもう１つの実施形態で、相互間隔６を置いて、各ディープローリング装置３の間に安定化のための装置を取り付けられることが可能である。その場合それは、例えば、ディープローリング装置３のシザーアームのある１点からクランクシャフト５のベアリングジャーナル１４に係合するディスタンスピースやスペーサであってよい。このような安定具の取付け場所は、例えばディープローリング装置３のシザーアームの接合点であることが好ましい。
【符号の説明】
【００１７】
１    クロスバー
２    ディープローリング機械
３    ディープローリング装置
４    回転軸
５    クランクシャフト
６    相互間隔
７    幅
８    軸線方向案内ローラ
９    支持ローラヘッド
１０  ディープローリングツール
１１  ディープローリングローラヘッド
１２  オイルカラー
１３  オイルカラー
１４  メインベアリングジャーナル
【図１】
2010502459.tif 000003
【図２】
2010502459.tif 000004
【図３】
2010502459.tif 000005
【国際調査報告】
2010502459.tif 000006
2010502459.tif 000007
2010502459.tif 000008
2010502459.tif 000009